(57)【要約】【課題】点滴投与を受けている間、輸液容器に貼り付けられているラベル上の薬液情報が他人に見られることなく、かつ医療従事者がその情報を確認したいときには容易に確認することが可能な輸液ラベルの提供。【解決手段】輸液容器に貼り付けて使用される輸液ラベル１であって、輸液容器に貼り付けられる貼付面側に薬液情報の表示部５を有するものである。この輸液ラベル１では、薬液情報の表示部５が輸液容器に貼り付けられる貼付面側にあるので、輸液容器に貼り付けられた際に薬液情報の表示部５が輸液容器側、すなわち輸液ラベル１の裏側に隠れており、他人が薬液情報を容易に見ることができない。また、医療従事者がその情報を確認したいときには、薬液情報の表示部５側をめくり返すことで容易に確認することが可能となる。【選択図】図１
2013192872.tif 000002
【特許請求の範囲】
【請求項１】
輸液容器に貼り付けて使用される輸液ラベルであって、
前記輸液容器に貼り付けられる貼付面側に薬液情報の表示部を有する輸液ラベル。
【請求項２】
ラベル基材と、同ラベル基材上に形成された粘着層と、同粘着層上に貼り付けられた剥離シートとから構成され、
前記薬液情報の表示部は、前記剥離シートの表面であり、
前記貼付面は、前記剥離シートの前記薬液情報の表示部を除く一部を剥離して前記粘着層を露出させることにより、前記輸液容器に貼り付け可能とした貼付部である請求項１記載の輸液ラベル。
【請求項３】
前記剥離シートは、前記貼付部の周縁に沿う切れ目を有するものである請求項２記載の輸液ラベル。
【請求項４】
前記剥離シートおよび前記ラベル基材のいずれか一方または両方の前記表示部と前記貼付部との間にミシン目を有する請求項２または３に記載の輸液ラベル。
【発明の詳細な説明】
【技術分野】
【０００１】
本発明は、輸液バッグや輸液ボトルなどの輸液容器に貼り付けて使用される輸液ラベルに関する。
【背景技術】
【０００２】
医療施設で輸液治療に用いられる輸液バッグや輸液ボトルなどの輸液容器には、誤投与の防止のために、患者名や薬液品名等の薬液情報を明記したラベルが貼り付けられる。このラベルは点滴が終了するまで貼り付けられているが、ラベルに明記されている薬液情報を見れば、その点滴を受けている患者がどのような病気に罹患しているのか（例えば、癌疾患と）、容易に推測されてしまうという問題があり、個人情報保護の観点から好ましくない。
【０００３】
従来、個人情報保護に関する技術として、例えば特許文献１には、薬剤容器を廃棄する際の個人情報の漏洩を防止するため、個人情報を、薬剤に係る情報を示す主表示部とは別に表示しておき、廃棄時には分離するようにしたラベルが開示されている。
【先行技術文献】
【特許文献】
【０００４】
【特許文献１】特開２００８−３３１１５号公報
【発明の概要】
【発明が解決しようとする課題】
【０００５】
しかしながら、特許文献１に記載のラベルでは、廃棄時に分離して個人情報の漏洩を防止することはできても、点滴が終了するまでの間は貼り付けたままの状態であるため、前述のような治療中の個人情報の漏洩を防止することができない。
【０００６】
そこで、本発明においては、点滴投与を受けている間、輸液容器に貼り付けられているラベル上の薬液情報が他人に見られることなく、かつ医療従事者がその情報を確認したいときには容易に確認することが可能な輸液ラベルを提供することを目的とする。
【課題を解決するための手段】
【０００７】
本発明の輸液ラベルは、輸液容器に貼り付けて使用される輸液ラベルであって、輸液容器に貼り付けられる貼付面側に薬液情報の表示部を有するものである。本発明の輸液ラベルでは、薬液情報の表示部が輸液容器に貼り付けられる貼付面側にあるので、輸液容器に貼り付けられた際に薬液情報の表示部が輸液容器側、すなわち輸液ラベルの裏側に隠れており、他人が薬液情報を容易に見ることができない。また、医療従事者がその情報を確認したいときには、薬液情報の表示部をめくり返すことで容易に確認することが可能となる。
【０００８】
ここで、本発明の輸液ラベルは、ラベル基材と、ラベル基材上に形成された粘着層と、粘着層上に貼り付けられた剥離シートとから構成され、薬液情報の表示部は、剥離シートの表面であり、貼付面は、剥離シートの薬液情報の表示部を除く一部を剥離して粘着層を露出させることにより、輸液容器に貼り付け可能とした貼付部であることが望ましい。これにより、剥離シートの表示部に薬液情報を記載しておき、貼付部の剥離シートを剥離して貼付面を露出させて、輸液容器に貼り付けて使用することが可能となる。
【０００９】
また、剥離シートは、貼付部の周縁に沿う切れ目を有するものであることが望ましい。これにより、切れ目に沿って剥離シートをめくることで、貼付部の貼付面を容易に露出させることが可能となる。
【００１０】
また、剥離シートおよびラベル基材のいずれか一方または両方の表示部と貼付部との間には、ミシン目を有することが望ましい。これにより、医療従事者が輸液容器に貼り付けられた輸液ラベルの薬液情報を確認する際には、ミシン目に沿って薬液情報の表示部を容易にめくり返すことが可能となる。また、このミシン目に沿って切れ目を入れることで、円筒型の輸液容器に貼り付ける際、貼付部の貼付面を円筒型の輸液容器の表面に沿って曲面状として貼り付けても、剥離シートの表示部は平面状を保ったままにすることが可能となる。
【発明の効果】
【００１１】
（１）輸液容器に貼り付けられる貼付面側に薬液情報の表示部を有することにより、輸液容器に貼り付けられた際に薬液情報の表示部が輸液ラベルの裏側に隠れ、点滴投与を受けている間、他人が薬液情報を容易に見ることができないので、個人情報の漏洩を防止することが可能となる。また、医療従事者がその情報を確認したいときには、薬液情報の表示部をめくり返すことで容易に確認することが可能となる。
【００１２】
（２）ラベル基材と、ラベル基材上に形成された粘着層と、粘着層上に貼り付けられた剥離シートとから構成され、薬液情報の表示部が、剥離シートの表面であり、貼付面は、剥離シートの薬液情報の表示部を除く一部を剥離して粘着層を露出させることにより、輸液容器に貼り付け可能とした貼付部であることによって、剥離シートの表示部に薬液情報を記載しておき、貼付部の剥離シートを剥離して貼付面を露出させることにより、容易に輸液容器に貼り付けて使用することが可能となる。
【００１３】
（３）剥離シートが貼付部の周縁に沿う切れ目を有するものであることにより、切れ目に沿って剥離シートをめくることで、貼付部の貼付面を容易に露出させることが可能となり、輸液容器への貼り付けをより容易に行うことが可能となる。
【００１４】
（４）剥離シートおよびラベル基材のいずれか一方または両方の表示部と貼付部との間にミシン目を有することにより、医療従事者が輸液容器に貼り付けられた輸液ラベルの薬液情報を確認する際には、ミシン目に沿って薬液情報の表示部を容易にめくり返して確認することが可能となる。また、このミシン目に沿って切れ目を入れることで、円筒型の輸液容器に貼り付ける際、貼付部の貼付面を円筒型の輸液容器の表面に沿って曲面状として貼り付けても、剥離シートの表示部は平面状を保ったままにすることが可能となるので、薬液情報の表示部を容易にめくり返して確認することが可能となる。
【図面の簡単な説明】
【００１５】
【図１】本発明の実施の形態における輸液ラベルを示す図であって、（ａ）は裏面図、（ｂ）は左側面図、（ｃ）は正面図である。
【図２】本実施形態における輸液ラベルの使用例を示す説明図である。
【図３】本実施形態における輸液ラベルの使用例を示す説明図である。
【図４】本実施形態における輸液ラベルの使用例を示す説明図である。
【図５】本実施形態における輸液ラベルの別の使用例を示す説明図である。
【図６】本実施形態における輸液ラベルの別の使用例を示す説明図である。
【発明を実施するための形態】
【００１６】
図１は本発明の実施の形態における輸液ラベルを示す図であって、（ａ）は裏面図、（ｂ）は左側面図、（ｃ）は正面図、図２〜図４は本実施形態における輸液ラベルの使用例を示す説明図である。
【００１７】
図１において、本発明の実施の形態における輸液ラベル１は、ラベル基材２と、ラベル基材２上に形成された粘着層３と、粘着層３上に貼り付けられた剥離シート４とから構成されている。剥離シート４の表面には、図１（ａ）に示すように患者名、ＩＤ番号、注射情報（薬液品名等）やバーコード等の薬液情報が記載される表示部５と、剥離することにより下の粘着層３を露出させて輸液容器に貼り付け可能とする貼付部６とが設けられている。
【００１８】
貼付部６は、剥離シート４の表示部５を除く一部に形成され、その周縁に沿って切れ目７が形成されている。図１に示す例では、切れ目７は略コの字状に形成されており、この切れ目７に沿って貼付部６を上にめくることにより、その下の粘着層３が露出し、輸液容器に貼り付け可能な貼付面が現れる。また、表示部５と貼付部６との間には、ミシン目８が形成されている。ミシン目８は、ラベル基材２および剥離シート４の両方の左右端辺から中心部を除く部分まで形成されている。
【００１９】
上記構成の輸液ラベル１は、図２に示すように、表示部５に薬液情報を記載した状態で、切れ目７に沿って貼付部６をめくることにより、その下の粘着層３を露出させ、図３に示すように輸液バッグ等の輸液容器９に貼り付けて使用する。図３に示す状態では、薬液情報の表示部５は、輸液容器９に貼り付けられる貼付面側にあり、輸液ラベル１の裏側に隠れているため、他人が容易に見ることができない。一方、医療従事者が薬液情報を確認したいときには薬液情報の表示部５側をめくり返すことで、図４に示すように、輸液ラベル１が輸液容器９に貼り付けられたまま、表示部５に記載された薬液情報を確認することが可能である。
【００２０】
このように、本実施形態における輸液ラベル１では、薬液情報の表示部５が輸液容器９に貼り付けられる貼付面側にあるので、輸液容器９に貼り付けられた際に薬液情報の表示部５が輸液容器９側、すなわち輸液ラベル１の裏側に隠れており、他人が薬液情報を容易に見ることができない。したがって、個人情報の漏洩を防止することが可能である。また、医療従事者がその情報を確認したいときには、薬液情報の表示部５側をめくり返すことで容易に確認することが可能となる。
【００２１】
また、本実施形態における輸液ラベル１では、剥離シート４が、貼付部６の周縁に沿う切れ目７を有するため、この切れ目７に沿って剥離シート４をめくることで、貼付部６の貼付面を容易に露出させることが可能であり、輸液容器９への貼り付けをより容易に行うことが可能となっている。なお、本実施形態においては、切れ目７は略コの字状に形成されているが、この切れ目７の形状は適宜変更することが可能である。また、切れ目７は閉じた形状として、貼付部６の剥離シート４をめくって完全に剥がし取る構成とすることも可能である。
【００２２】
また、本実施形態においては、剥離シート４およびラベル基材２の両方の表示部５と貼付部６との間にミシン目８を有することにより、医療従事者が輸液容器９に貼り付けられた輸液ラベル１の薬液情報を確認する際には、このミシン目８に沿って剥離シート４およびラベル基材２が折れ曲がりやすいので、薬液情報の表示部５側を容易にめくり返すことが可能である。なお、ミシン目８は中心部を含めて剥離シート４およびラベル基材２の端辺から端辺まで形成する構成とすることも可能である。また、ミシン目８は、剥離シート４またはラベル基材２のいずれか一方に形成しても良い。
【００２３】
また、ミシン目８は予め切れ目を入れて使用することも可能である。図５および図６は本実施形態における輸液ラベルの別の使用例を示す説明図である。図５に示すように、ミシン目８に沿って切れ目を入れた場合、図６に示すように円筒型の輸液容器１０に貼り付ける際に、貼付部６の貼付面を円筒型の輸液容器１０の表面に沿って曲面状として貼り付けても、剥離シート４の表示部５は平面状を保ったままにすることが可能となるので、薬液情報の表示部５側を容易にめくり返して確認することが可能である。
【産業上の利用可能性】
【００２４】
本発明の輸液ラベルは、輸液バッグや輸液ボトルなどの輸液容器に貼り付けて、患者名や薬液品名等の薬液情報を表示するためのラベルとして有用である。
【符号の説明】
【００２５】
１  輸液ラベル
２  ラベル基材
３  粘着層
４  剥離シート
５  表示部
６  貼付部
７  切れ目
８  ミシン目
９，１０  輸液容器
【図１】
2013192872.tif 000003
【図２】
2013192872.tif 000004
【図３】
2013192872.tif 000005
【図４】
2013192872.tif 000006
【図５】
2013192872.tif 000007
【図６】
2013192872.tif 000008